(57)【要約】【課題】光ディスクの内部に記録された情報に関する情報（画像情報や文字情報等）を簡便に、且つ、周辺を汚すことなく、正確に印刷できるようにする。【解決手段】情報記録再生装置１０Ａは、光ディスク１４が載置されるトレイ１６と、該トレイ１６に載置された光ディスク１４をスピンドルモータ２８に保持するチャッキング機構５６と、スピンドルモータ２８に保持された光ディスク１４に対して情報の記録及び／又は再生を行う記録再生部１８と、チャッキング機構５６によるスピンドルモータ２８への保持が解除され、且つ、トレイ１６に載置された状態の光ディスク１４の印刷可能面２０に対して画像や文字を含む印刷情報の印刷を行う印刷部２２とを有する。そして、印刷部２２の印刷ヘッド７４を、トレイ移動機構と印刷ヘッド移動機構によって光ディスク１４の印刷可能面２０に対して相対的に二次元走査させて印刷する。【選択図】図１
2007026609.tif 000002
【特許請求の範囲】
【請求項１】
回転駆動部と、該回転駆動部に保持された光情報記録媒体に対して情報の記録及び／又は再生を行う記録再生ヘッドとを有する記録再生部と、
前記回転駆動部への保持が解除された状態の前記光情報記録媒体の印刷可能面に対して画像や文字を含む印刷情報の印刷を行う印刷部とを有することを特徴とする情報記録再生装置。
【請求項２】
請求項１記載の情報記録再生装置において、
前記光情報記録媒体が載置されるトレイを有し、
前記記録再生部は、前記トレイに載置された前記光情報記録媒体を前記回転駆動部に保持するチャッキング機構を有し、
前記印刷部は、前記チャッキング機構による前記回転駆動部への保持が解除され、且つ、前記トレイに載置された状態の前記光情報記録媒体の前記印刷可能面に対して前記印刷情報の印刷を行うことを特徴とする情報記録再生装置。
【請求項３】
請求項２記載の情報記録再生装置において、
前記トレイが出し入れされる挿入口が設けられ、内部に少なくとも前記記録再生部及び前記印刷部が設置された１つの筐体と、
前記筐体内に設置され、前記トレイを前記挿入口に対して出し入れ自在に移動させるトレイ移動機構とを有し、
前記印刷部は、前記筐体内における前記挿入口と前記回転駆動部との間に設置されていることを特徴とする情報記録再生装置。
【請求項４】
請求項３記載の情報記録再生装置において、
前記印刷部は、
前記トレイに載置された前記光情報記録媒体の前記印刷可能面に対向して配置された印刷ヘッドと、
前記印刷ヘッドを前記光情報記録媒体の前記印刷可能面とほぼ平行な面に沿って相対的に１軸方向に走査させる印刷部移動機構とを有し、
前記印刷ヘッドは、前記トレイ移動機構と前記印刷部移動機構によって前記光情報記録媒体の前記印刷可能面に対して相対的に二次元走査されることを特徴とする情報記録再生装置。
【請求項５】
請求項４記載の情報記録再生装置において、
前記印刷ヘッドは、前記トレイ移動機構によって前記トレイが前記挿入口から出る方向に移動する際に、前記トレイ移動機構と前記印刷部移動機構によって前記光情報記録媒体の前記印刷可能面に対して相対的に二次元走査されることを特徴とする情報記録再生装置。
【請求項６】
請求項３記載の情報記録再生装置において、
前記記録再生部を移動駆動する記録再生系移動機構を有し、
前記記録再生系移動機構は、
光情報記録媒体の挿入指令に基づいて、前記チャッキング機構及び前記回転駆動部を、初期位置から前記トレイに載置された前記光情報記録媒体を前記チャッキング機構にて前記回転駆動部に保持できる位置に移動し、さらに、前記記録再生ヘッドを、初期位置から前記回転駆動部に保持された前記光情報記録媒体に対して情報の記録及び／又は再生が行える位置に移動し、
印刷指令に基づいて、前記チャッキング機構、前記回転駆動部及び前記記録再生ヘッドを、初期位置に移動復帰し、
前記初期位置は、前記チャッキング機構、前記回転駆動部及び前記記録再生ヘッドが前記印刷部と干渉しない位置であることを特徴とする情報記録再生装置。
【請求項７】
請求項６記載の情報記録再生装置において、
前記印刷部は、
前記回転駆動部への保持が解除された状態の前記光情報記録媒体の前記印刷可能面に対向して配置された印刷ヘッドと、
前記印刷ヘッドを前記光情報記録媒体の前記印刷可能面とほぼ平行な面に沿って相対的に二次元走査させる印刷部移動機構とを有することを特徴とする情報記録再生装置。
【請求項８】
請求項６記載の情報記録再生装置において、
前記印刷ヘッドは、前記印刷指令に基づいて、前記チャッキング機構、前記回転駆動部及び前記記録再生ヘッドが前記初期位置に移動復帰した後に、前記印刷部移動機構によって前記光情報記録媒体の前記印刷可能面に対して相対的に二次元走査されることを特徴とする情報記録再生装置。
【請求項９】
回転駆動部と、該回転駆動部に保持された光情報記録媒体に対して情報の記録及び／又は再生を行う記録再生ヘッドとを具備した記録再生部を有する情報記録再生装置にて使用される情報印刷方法において、
前記回転駆動部への保持が解除された状態の前記光情報記録媒体の前記印刷可能面に対向して印刷ヘッドを配置し、
前記印刷ヘッドを前記光情報記録媒体の前記印刷可能面とほぼ平行な面に沿って相対的に少なくとも１軸方向に走査させて、前記光情報記録媒体の印刷可能面に対し、画像や文字を含む印刷情報の印刷を行うことを特徴とする情報印刷方法。
【請求項１０】
請求項９記載の情報印刷方法において、
前記情報記録再生装置は、前記光情報記録媒体が載置されるトレイを有し、
前記記録再生部は、前記トレイに載置された前記光情報記録媒体を前記回転駆動部に保持するチャッキング機構を有し、
前記チャッキング機構による前記回転駆動部への保持が解除され、且つ、前記トレイに載置された状態の前記光情報記録媒体の前記印刷可能面に対して前記印刷情報の印刷を行うことを特徴とする情報印刷方法。
【請求項１１】
請求項１０記載の情報印刷方法において、
前記情報記録再生装置は、前記トレイが出し入れされる挿入口が設けられ、内部に少なくとも前記記録再生部及び前記印刷部が設置された１つの筐体と、該筐体内に設置され、前記トレイを前記挿入口に対して出し入れ自在に移動させるトレイ移動機構とを有し、
前記印刷ヘッドを、前記筐体内における前記挿入口と前記回転駆動部との間に設置して前記印刷情報の印刷を行うことを特徴とする情報印刷方法。
【請求項１２】
請求項１１記載の情報印刷方法において、
前記記録再生装置は、前記印刷ヘッドを前記光情報記録媒体の前記印刷可能面とほぼ平行な面に沿って相対的に１軸方向に走査させる印刷部移動機構を有し、
前記印刷ヘッドを、前記トレイ移動機構と前記印刷部移動機構により、前記光情報記録媒体の前記印刷可能面に対して相対的に二次元走査することによって、前記印刷情報の印刷を行うことを特徴とする情報印刷方法。
【請求項１３】
請求項１２記載の情報印刷方法において、
前記トレイ移動機構によって前記トレイが前記挿入口から出る方向に移動する際に、前記印刷ヘッドを、前記トレイ移動機構と前記印刷部移動機構により、前記光情報記録媒体の前記印刷可能面に対して相対的に二次元走査することによって、前記印刷情報を印刷することを特徴とする情報印刷方法。
【請求項１４】
請求項１１記載の情報印刷方法において、
光情報記録媒体の挿入指令に基づいて、前記チャッキング機構及び前記回転駆動部を、初期位置から前記トレイに載置された前記光情報記録媒体を前記チャッキング機構にて前記回転駆動部に保持できる位置に移動し、さらに、前記記録再生ヘッドを、初期位置から前記回転駆動部に保持された前記光情報記録媒体に対して情報の記録及び／又は再生が行える位置に移動し、
印刷指令に基づいて、前記チャッキング機構、前記回転駆動部及び前記記録再生ヘッドを、初期位置に移動復帰し、
前記初期位置は、前記チャッキング機構、前記回転駆動部及び前記記録再生ヘッドが前記印刷ヘッドの動作範囲と干渉しない位置であり、
前記印刷ヘッドを前記光情報記録媒体の前記印刷可能面とほぼ平行な面に沿って相対的に二次元走査させて前記印刷情報の印刷を行うことを特徴とする情報印刷方法。
【請求項１５】
請求項１４記載の情報印刷方法において、
前記印刷指令に基づいて、前記印刷ヘッドを、前記チャッキング機構、前記回転駆動部及び前記記録再生ヘッドが前記初期位置に移動復帰した後に、前記光情報記録媒体の前記印刷可能面に対して相対的に二次元走査することによって、前記印刷情報の印刷を行うことを特徴とする情報印刷方法。
【請求項１６】
内部に情報が記録され、且つ、請求項９〜１５のいずれか１項に記載の情報印刷方法によって印刷情報が印刷された光情報記録媒体。
【発明の詳細な説明】
【技術分野】
【０００１】
本発明は、光情報記録媒体に対して例えばレーザ光を利用して情報を記録及び／又は再生を行うことができる情報記録再生装置と、情報が記録された光情報記録媒体の印刷可能面に対して印刷情報を印刷する情報印刷方法と、内部に情報が記録され、表面に印刷情報が印刷された光情報記録媒体とに関し、例えばＣＤ−Ｒ、ＣＤ＋Ｒ、ＣＤ−ＲＷ、ＣＤ＋ＲＷ、ＤＶＤ−Ｒ、ＤＶＤ＋Ｒ、ＤＶＤ−ＲＷ、ＤＶＤ＋ＲＷ、ＤＶＤ−ＲＡＭ等に用いて好適な情報記録再生装置、情報印刷方法及び光情報記録媒体に関する。
【背景技術】
【０００２】
近時、情報の書き込みが可能な光情報記録媒体、例えばＣＤ−ＲやＤＶＤ−Ｒ等に対して情報を記録した後の管理方法としては、情報を光情報記録媒体の一方の面から内部にある情報記録面に記録した後、他方の面、すなわち、印刷可能面（ラベル面）に、内部に記録した情報に関するコメントや画像を手書きやシールの貼り付けといった方法で表示し、管理するようにしていた。
【０００３】
しかし、光情報記録媒体を情報記録再生装置から取り出した後に、上述のような手書きやシールの貼り付けを行うと、１枚だけならユーザが覚えているため、正確な情報を手書き等することができるが、複数枚の光情報記録媒体に対して、手書き等をする場合、どの光情報記録媒体に何の情報が記録されているかを認識することができず、再び情報記録再生装置にセットして確認しなければならず、面倒である。
【０００４】
そこで、従来では、１つの情報記録再生装置に、情報の記録再生手段のほか、印刷手段を設け、光情報記録媒体に情報を記録した後に、印刷手段にてレーベル等を印刷する方法が提案されている（例えば特許文献１〜３）。
【０００５】
【特許文献１】特開平５−２３８００５号公報
【特許文献２】特開２０００−２２８０３６号公報
【特許文献３】特開２００４−１１０９９４号公報
【発明の開示】
【発明が解決しようとする課題】
【０００６】
しかしながら、特許文献１及び３に記載の技術は、光情報記録媒体を回転させながらインクジェット方式にて印刷を行うようにしているため、インクの噴射速度、着弾位置等を光情報記録媒体の回転に応じて計算する必要があり、さらに、印刷情報を計算された噴射速度や着弾位置等に応じて変形させる等、情報の演算処理に係る時間が膨大になるという問題がある。しかも、回転中の光情報記録媒体にインクを噴射することから、インクが放射状に飛んでしまい、周辺部分をインクで汚してしまうという新たな問題もある。
【０００７】
また、光情報記録媒体をスピンドルモータに装着した状態で印刷を行うようにしていることから、光情報記録媒体をスピンドルモータに保持するためのチャッキング機構が印刷ヘッドの動作範囲に入ってしまい、印刷ヘッドとチャッキング機構とが干渉するという問題がある。
【０００８】
一方、特許文献２に記載の技術は、光情報記録媒体に対して情報を記録する情報記録部と、情報が書き込まれた後の記録済の記録媒体の表面に印刷を行う印刷部と、印刷後の記録媒体を回収する回収部とが独立に配置されているため、サイズが大きくなり、業務用であれば、問題はないと思われるが、一般ユーザ用としては、設置スペース等、問題が生じる。
【０００９】
本発明はこのような課題を考慮してなされたものであり、光情報記録媒体の内部に記録された情報に関する情報（画像情報や文字情報等）を簡便に、且つ、周辺を汚すことなく、正確に印刷することができ、一般ユーザによる光情報記録媒体への情報記録の普及を促進させることができる情報記録再生装置、情報印刷方法及び光情報記録媒体を提供することを目的とする。
【課題を解決するための手段】
【００１０】
本発明に係る情報記録再生装置は、回転駆動部と、該回転駆動部に保持された光情報記録媒体に対して情報の記録及び／又は再生を行う記録再生ヘッドとを有する記録再生部と、前記回転駆動部への保持が解除された状態の前記光情報記録媒体の印刷可能面に対して画像や文字を含む印刷情報の印刷を行う印刷部とを有することを特徴とする。
【００１１】
これにより、印刷部にて印刷情報を印刷する際に、印刷部とチャッキング機構とが干渉することがないため、印刷ヘッドの移動経路を単純化することができ、印刷部の構成（ハードウェア及びコンピュータプログラム等）の簡略化、コストの低廉化を図ることができる。
【００１２】
また、光情報記録媒体の内部に記録された情報に関する印刷情報（画像情報や文字情報等）を簡便に、且つ、周辺を汚すことなく、正確に印刷することができ、一般ユーザによる光情報記録媒体への情報記録の普及を促進させることができる。
【００１３】
そして、前記構成において、前記光情報記録媒体が載置されるトレイを有し、前記記録再生部は、前記トレイに載置された前記光情報記録媒体を前記回転駆動部に保持するチャッキング機構を有し、前記印刷部は、前記チャッキング機構による前記回転駆動部への保持が解除され、且つ、前記トレイに載置された状態の前記光情報記録媒体の前記印刷可能面に対して前記印刷情報の印刷を行うようにしてもよい。
【００１４】
通常、回転駆動部に保持された光情報記録媒体は、チャッキング機構にて保持されていても、該回転駆動部によって回転自在とされるため、少しの振動でも回転し易い状態になっている。従って、印刷部による印刷情報の印刷時に光情報記録媒体が回転してしまい、インクが周辺に散らばったり、印刷品質が劣化するという不測の事態が発生するおそれがある。
【００１５】
しかし、この発明では、光情報記録媒体の回転駆動部への保持が解除され、且つ、トレイに載置された状態となっているため、光情報記録媒体は容易に回転しなくなり、印刷部による印刷情報の印刷時に光情報記録媒体が回転するという不測の事態を回避することができ、周辺を汚すことなく、正確に印刷することができる。
【００１６】
また、前記構成において、前記トレイが出し入れされる挿入口が設けられ、内部に少なくとも前記記録再生部及び前記印刷部が設置された１つの筐体と、前記筐体内に設置され、前記トレイを前記挿入口に対して出し入れ自在に移動させるトレイ移動機構とを有し、前記印刷部は、前記筐体内における前記挿入口と前記回転駆動部との間に設置されていてもよい。
【００１７】
前記印刷部は、前記トレイに載置された前記光情報記録媒体の前記印刷可能面に対向して配置された印刷ヘッドと、前記印刷ヘッドを前記光情報記録媒体の前記印刷可能面とほぼ平行な面に沿って相対的に１軸方向に走査させる印刷部移動機構とを有し、前記印刷ヘッドは、前記トレイ移動機構と前記印刷部移動機構によって前記光情報記録媒体の前記印刷可能面に対して相対的に二次元走査されるようにしてもよい。
【００１８】
この場合、前記印刷ヘッドは、前記トレイ移動機構によって前記トレイが前記挿入口から出る方向に移動する際に、前記トレイ移動機構と前記印刷部移動機構によって前記光情報記録媒体の前記印刷可能面に対して相対的に二次元走査されるようにしてもよい。
【００１９】
これにより、印刷ヘッドを移動駆動する機構を簡略化することができると共に、印刷ヘッドを、該印刷ヘッドとチャッキング機構とが干渉しない位置に容易に設定することができる。これは、従来の情報記録再生装置に対する少ない設計変更で実現できるため、一般ユーザによる光情報記録媒体への情報記録の普及をさらに促進させることができる。
【００２０】
また、前記構成において、前記チャッキング機構、前記回転駆動部及び前記記録再生ヘッドを移動駆動する記録再生系移動機構を有し、前記記録再生系移動機構は、光情報記録媒体の挿入指令に基づいて、前記チャッキング機構及び前記回転駆動部を、初期位置から前記トレイに載置された前記光情報記録媒体を前記チャッキング機構にて前記回転駆動部に保持できる位置に移動し、さらに、前記記録再生ヘッドを、初期位置から前記回転駆動部に保持された前記光情報記録媒体に対して情報の記録及び／又は再生が行える位置に移動し、印刷指令に基づいて、前記チャッキング機構、前記回転駆動部及び前記記録再生ヘッドを、初期位置に移動復帰し、前記初期位置は、前記チャッキング機構、前記回転駆動部及び前記記録再生ヘッドが前記印刷部と干渉しない位置にしてもよい。
【００２１】
この場合、トレイを筐体内に入れた状態で印刷情報の印刷を行うができるため、印刷精度の向上が期待できる。
【００２２】
また、前記印刷部は、前記回転駆動部への保持が解除された状態の前記光情報記録媒体の前記印刷可能面に対向して配置された印刷ヘッドと、前記印刷ヘッドを前記光情報記録媒体の前記印刷可能面とほぼ平行な面に沿って相対的に二次元走査させる印刷部移動機構とを有するようにしてもよい。
【００２３】
そして、前記印刷ヘッドは、前記印刷指令に基づいて、前記チャッキング機構、前記回転駆動部及び前記記録再生ヘッドが前記初期位置に移動復帰した後に、前記印刷部移動機構によって前記光情報記録媒体の前記印刷可能面に対して相対的に二次元走査されるようにしてもよい。
【００２４】
次に、本発明に係る情報印刷方法は、回転駆動部と、該回転駆動部に保持された光情報記録媒体に対して情報の記録及び／又は再生を行う記録再生ヘッドとを具備した記録再生部を有する情報記録再生装置にて使用される情報印刷方法において、前記回転駆動部への保持が解除された状態の前記光情報記録媒体の前記印刷可能面に対向して印刷ヘッドを配置し、前記印刷ヘッドを前記光情報記録媒体の前記印刷可能面とほぼ平行な面に沿って相対的に少なくとも１軸方向に走査させて、前記光情報記録媒体の印刷可能面に対し、画像や文字を含む印刷情報の印刷を行うことを特徴とする。
【００２５】
これにより、印刷部にて印刷情報を印刷する際に、印刷部とチャッキング機構とが干渉することがないため、印刷ヘッドの移動経路を単純化することができ、印刷部の構成（ハードウェア及びコンピュータプログラム等）の簡略化、コストの低廉化を図ることができる。
【００２６】
また、光情報記録媒体の内部に記録された情報に関する印刷情報（画像情報や文字情報等）を簡便に、且つ、周辺を汚すことなく、正確に印刷することができ、一般ユーザによる光情報記録媒体への情報記録の普及を促進させることができる。
【００２７】
そして、前記方法において、前記情報記録再生装置は、前記光情報記録媒体が載置されるトレイを有し、前記記録再生部は、前記トレイに載置された前記光情報記録媒体を前記回転駆動部に保持するチャッキング機構を有し、前記チャッキング機構による前記回転駆動部への保持が解除され、且つ、前記トレイに載置された状態の前記光情報記録媒体の前記印刷可能面に対して前記印刷情報の印刷を行うようにしてもよい。
【００２８】
また、前記方法において、前記情報記録再生装置は、前記トレイが出し入れされる挿入口が設けられ、内部に少なくとも前記記録再生部及び前記印刷部が設置された１つの筐体と、該筐体内に設置され、前記トレイを前記挿入口に対して出し入れ自在に移動させるトレイ移動機構とを有し、前記印刷ヘッドを、前記筐体内における前記挿入口と前記回転駆動部との間に設置して前記印刷情報の印刷を行うようにしてもよい。
【００２９】
また、前記方法において、前記記録再生装置は、前記印刷ヘッドを前記光情報記録媒体の前記印刷可能面とほぼ平行な面に沿って相対的に１軸方向に走査させる印刷部移動機構を有し、前記印刷ヘッドを、前記トレイ移動機構と前記印刷部移動機構により、前記光情報記録媒体の前記印刷可能面に対して相対的に二次元走査することによって、前記印刷情報の印刷を行うようにしてもよい。
【００３０】
この場合、前記トレイ移動機構によって前記トレイが前記挿入口から出る方向に移動する際に、前記印刷ヘッドを、前記トレイ移動機構と前記印刷部移動機構により、前記光情報記録媒体の前記印刷可能面に対して相対的に二次元走査することによって、前記印刷情報を印刷するようにしてもよい。
【００３１】
また、前記方法において、光情報記録媒体の挿入指令に基づいて、前記チャッキング機構及び前記回転駆動部を、初期位置から前記トレイに載置された前記光情報記録媒体を前記チャッキング機構にて前記回転駆動部に保持できる位置に移動し、さらに、前記記録再生ヘッドを、初期位置から前記回転駆動部に保持された前記光情報記録媒体に対して情報の記録及び／又は再生が行える位置に移動し、印刷指令に基づいて、前記チャッキング機構、前記回転駆動部及び前記記録再生ヘッドを、初期位置に移動復帰し、前記初期位置は、前記チャッキング機構、前記回転駆動部及び前記記録再生ヘッドが前記印刷ヘッドの動作範囲と干渉しない位置であり、前記印刷ヘッドを前記光情報記録媒体の前記印刷可能面とほぼ平行な面に沿って相対的に二次元走査させて前記印刷情報の印刷を行うようにしてもよい。
【００３２】
この場合、前記印刷指令に基づいて、前記印刷ヘッドを、前記チャッキング機構、前記回転駆動部及び前記記録再生ヘッドが前記初期位置に移動復帰した後に、前記光情報記録媒体の前記印刷可能面に対して相対的に二次元走査することによって、前記印刷情報の印刷を行うようにしてもよい。
【００３３】
次に、本発明に係る光情報記録媒体は、内部に情報が記録され、且つ、上述した情報印刷方法に係る発明によって印刷情報が印刷されていることを特徴とする。これにより、１以上の光情報記録媒体を、印刷された情報を基に、簡単に、且つ、正確に管理することができ、一般ユーザによる光情報記録媒体への情報記録の普及を促進させることができる。
【発明の効果】
【００３４】
以上説明したように、本発明に係る情報記録再生装置、情報印刷方法及び光情報記録媒体によれば、光情報記録媒体の内部に記録された情報に関する情報（画像情報や文字情報等）を簡便に、且つ、周辺を汚すことなく、正確に印刷することができ、一般ユーザによる光情報記録媒体への情報記録の普及を促進させることができる。
【発明を実施するための最良の形態】
【００３５】
以下、本発明に係る情報記録再生装置、情報印刷方法及び光情報記録媒体を、例えばレーザ光を用いて情報の記録及び再生を行うことができる光情報記録媒体（光ディスク）に適用した実施の形態例（以下、単に実施の形態に係る情報記録再生装置と記す）を図１〜図１３を参照しながら説明する。
【００３６】
第１の実施の形態に係る情報記録再生装置１０Ａは、図１に示すように、筐体１２と、光ディスク１４が載置されるトレイ１６と、筐体１２内に設置され、光ディスク１４に対して情報の記録及び／又は再生を行う記録再生部１８と、同じく筐体１２内に設置され、光ディスク１４の印刷可能面２０に対して画像や文字等の印刷情報の印刷を行う印刷部２２とを有する。
【００３７】
印刷情報としては、光ディスク１４に記録した情報のタイトル、記録日時、記録時間、画質（倍速の情報等）、放送チャンネル等の画像ソースや、代表画像のサムネイル等がある。また、印刷される画像としては、写真や絵の画像のほか、記号やバーコード等のような画像を含み、目視あるいは拡大鏡、顕微鏡等で拡大して認識できるもの全てを含む。従って、概ね１０μｍ以上のパターンを含む。
【００３８】
筐体１２の１つの側面には、トレイ１６が出し入れされる挿入口２４が設けられている。また、筐体１２内には、トレイ１６を挿入口２４に対して出し入れ自在に移動させるトレイ移動機構２６が設置されている。
【００３９】
記録再生部１８は、スピンドルモータ２８を有し、光ディスク１４をＣＬＶ（線速度一定）方式あるいはＣＡＶ（角速度一定）方式で回転させる回転駆動部３０と、光ディスク１４の一方の面（印刷可能面２０と反対の面）に対向して配置され、光ディスク１４に対して情報の記録を行う記録ヘッド３２と、同じく光ディスク１４の一方の面に対向して配置され、光ディスク１４に記録された情報（位置情報を含む）を再生する再生ヘッド３４と、これら記録ヘッド３２及び再生ヘッド３４を光ディスク１４の径方向に移動させる記録再生ヘッド移動機構３６と、これら回転駆動部３０、記録ヘッド３２、再生ヘッド３４、記録再生ヘッド移動機構３６等を制御する制御部３８とを有する。記録再生部１８は、また、スピンドルモータ２８を光ディスク１４の一方の面に対して往復移動させるモータ移動機構４０を有する。このモータ移動機構４０は、制御部３８からの指令に基づいて、スピンドルモータ２８を、光ディスク１４の一方の面に対して接近する方向と離間する方向に移動させる。
【００４０】
光ディスク１４に記録される情報は、例えばネットワークを通じてダウンロードしたプログラム情報、文書情報、画像情報（静止画情報、動画情報）や、他の記録媒体（例えばビデオテープ等）に記録された画像情報（静止画情報、動画情報）等であり、これらの情報は、図３に示すように、一旦、補助記憶装置４２に記録される。補助記憶装置４２としては、当該情報記録再生装置１０Ａがハードディスクを内蔵していれば、該ハードディスクを使用することができるほか、当該情報記録再生装置１０Ａに接続されるパーソナルコンピュータ（パソコン４４と記す）のハードディスク等を使用することができる。従って、記録再生部１８は、上述した構成要素のほか、補助記憶装置４２とフレームメモリ４６間のデータのやりとりを行う第１メモリ制御部４８と、フレームメモリ４６と記録ヘッド３２や再生ヘッド３４側とのデータのやりとりを行う第２メモリ制御部５０とを有する。
【００４１】
以下の説明では、光ディスク１４に画像情報（静止画情報、動画情報）を記録する場合を主体に説明を行うが、プログラム情報、文書情報等においても簡単に適用させることができる。
【００４２】
補助記憶装置４２に記録されている画像情報は、１フレーム（例えば１／６０秒）単位に第１メモリ制御部４８によって順次読み出されてフレームメモリ４６に書き込まれ、フレームメモリ４６に書き込まれた１フレーム分の画像情報は第２メモリ制御部５０によって読み出されて記録ヘッド３２へ向けて出力される。第２メモリ制御部５０によって読み出された画像情報は、途中のデータ変換部５２において光ディスク１４の記録フォーマットに合わせたデータ形態に変換されて記録ヘッド３２に供給される。もちろん、記録ヘッド３２へのデータ供給に時間がかかる場合は、フレームメモリ４６として、２つのフレームメモリを交互に書き換え読み出しを行う、いわゆるデュアルメモリを使用するようにしてもよい。
【００４３】
一方、再生ヘッド３４は、ＣＬＶ方式あるいはＣＡＶ方式で回転している光ディスク１４に対して再生用のレーザ光を照射し、光ディスク１４から反射する例えばウォブリングされたプリグルーブからの反射光や、アドレス用プリピットからの反射光によるアドレス信号に基づいて、画像情報を記録すべき位置（記録位置）を検出する。つまり、シーク動作が行われる。
【００４４】
そして、記録ヘッド３２は、記録用のレーザ光を、供給されたデータに基づいて変調し、再生ヘッド３４にて検出された記録位置に照射する。記録ヘッド３２と再生ヘッド３４とが１つのユニットとして構成されていれば、再生ヘッド３４にて記録位置が検出された時点で記録ヘッド３２による画像情報の記録が開始される。このようにして、上述の画像情報が順次光ディスク１４に記録されていくこととなる。なお、記録ヘッド３２による記録形式としては、有機色素材料を使用した記録方式や相変化記録方式等があるが、この記録再生部１８では、いずれの記録方式も採用可能である。
【００４５】
また、再生ヘッド３４は、上述した位置検出のほか、すでに画像データが記録されている光ディスク１４から画像データを再生する。
【００４６】
再生された画像データは、第２メモリ制御部５０、フレームメモリ４６及び第１メモリ制御部４８を介して補助記憶装置４２に記録される。
【００４７】
なお、情報記録再生装置１０Ａにモニタ５４やパソコン４４が接続されている場合においては、フレームメモリ４６に記録された画像情報が順次モニタ５４やパソコン４４に供給され、モニタ５４の画面やパソコン４４に接続されているモニタ５４の画面に画像情報が表示される。つまり、光ディスク１４に記録中あるいは光ディスク１４から再生中の画像情報がモニタ５４を通じて表示されることになる。
【００４８】
さらに、図２に示すように、制御部３８は、筐体１２の一部に設けられた操作部（図示せず）に対するユーザの操作入力に基づいてトレイ移動機構２６を駆動制御し、例えばトレイ１６の一部を挿入口２４を介して筐体１２外に移動駆動して、トレイ１６に光ディスク１４が載置できる程度まで、トレイ１６を筐体１２から突出させる。また、制御部３８は、前記操作部に対するユーザの操作入力に基づいてトレイ移動機構２６を駆動制御し、トレイ１６の一部を挿入口２４を介して筐体１２内に収容する。これにより、トレイ１６に光ディスク１４が載置されている場合は、光ディスク１４は完全に筐体１２内に収容される。このとき、図２に示すように、トレイ１６に載置された光ディスク１４の中心孔１４ａとスピンドルモータ２８の回転軸２８ａとがほぼ一致することとなる。
【００４９】
また、筐体１２内には、トレイ１６に載置された光ディスク１４をスピンドルモータ２８に保持するチャッキング機構５６が設置されている。このチャッキング機構５６は、スピンドルモータ２８の回転軸２８ａに設けられ、光ディスク１４の一方の面（例えば下面）の中央部分に対向する円盤状の強磁性体５８と、該強磁性体５８上に固定され、光ディスク１４の中心孔１４ａに挿入される円柱状の例えば金属製の挿入部材６０と、光ディスク１４の他方の面（例えば上面）の中央部分に対向する円盤状の例えば金属製のキャップ部材６２と、該キャップ部材６２を回転自在に支持するフック部材６４と、フック部材６４を光ディスク１４の他方の面（印刷可能面２０）に対して往復移動させるフック移動機構６６とを有する。このフック移動機構６６は、制御部３８からの指令に基づいて、フック部材６４及び該フック部材６４によって回転自在に支持されたキャップ部材６２を、光ディスク１４の他方の面に対して接近する方向と離間する方向に移動させる。
【００５０】
ここで、チャッキング機構５６の動作の一例について説明すると、まず、図２に示すように、トレイ１６の一部が筐体１２内に収容されて、トレイ１６に載置された光ディスク１４の中心孔１４ａの位置がスピンドルモータ２８の回転軸２８ａとほぼ一致した時点で、モータ移動機構４０によって、スピンドルモータ２８が一方向（例えば上方向）に移動し、これにより、図４に示すように、挿入部材６０が光ディスク１４の中心孔１４ａ内に挿入されると共に、強磁性体５８の一部が光ディスク１４の中心孔１４ａの周部に接して、該光ディスク１４を僅かに持ち上げる。このとき、挿入部材６０の一部が光ディスク１４の他方の面よりも上方に突出する形態となり、光ディスク１４はトレイ１６から離れる。
【００５１】
その後、フック移動機構６６によってフック部材６４及びキャップ部材６２が他方向（例えば下方向）に移動し、これにより、キャップ部材６２の底面が挿入部材６０の上面に接触すると共に、キャップ部材６２の側壁の端面が光ディスク１４の中心孔１４ａの周部に接する。これによって、キャップ部材６２が強磁性体５８に磁気吸引され、光ディスク１４はスピンドルモータ２８の回転軸２８ａに回転自在に保持されることになる。
【００５２】
反対に、スピンドルモータ２８への光ディスク１４の保持を解除する場合は、例えば制御部３８からの指令に基づいて、上述の動作とは逆の動作が行われて、光ディスク１４は再びトレイ１６に載置され、その後、トレイ移動機構２６によって、トレイ１６が移動し、該トレイ１６の一部が挿入口２４を介して筐体１２から突出することになる。この段階でトレイ１６から光ディスク１４が取り出し易くなる。
【００５３】
次に、印刷部２２は、例えばインクジェット方式の印刷を想定すると、図５に示すように、印刷情報が記憶されるビデオメモリ７０と、該ビデオメモリ７０に対して印刷情報を書き込んだり、ビデオメモリ７０から順次印刷情報を読み出したりする第３メモリ制御部７２と、ビデオメモリ７０からの印刷情報を光ディスク１４の印刷可能面２０にインクジェット方式にて印刷する印刷ヘッド７４と、該印刷ヘッド７４に対して複数のインク７６を供給するインク供給部７８と、印刷ヘッド７４を所定方向（ｘ軸方向）に移動駆動する印刷ヘッド移動機構８０と、これら第３メモリ制御部７２、印刷ヘッド７４、印刷ヘッド移動機構８０を制御する制御部８２とを有する。
【００５４】
印刷ヘッド移動機構８０は、印刷ヘッド７４をｘ軸方向に案内するガイドレール８４と、印刷ヘッド７４に設けられ、且つ、該印刷ヘッド７４を自走式にガイドレール８４に沿って移動駆動する例えばボイスコイルモータ８６とを有する。
【００５５】
また、トレイ移動機構２６と印刷ヘッド移動機構８０にはそれぞれエンコーダ８８及び９０が取り付けられ、印刷ヘッド７４のｘ軸方向の位置とｙ軸方向の位置が制御部８２において電気的に認識できるようになっている。
【００５６】
ここで、印刷部２２、スピンドルモータ２８、記録ヘッド３２及び再生ヘッド３４の位置関係、特に、印刷部２２、スピンドルモータ２８、記録ヘッド３２及び再生ヘッド３４を上面から見たときの位置関係について図６を参照しながら説明する。
【００５７】
まず、印刷部２２の例えばガイドレール８４の配置位置は、筐体１２の挿入口２４の配置位置Ｐ１とスピンドルモータ２８の配置位置Ｐ２との間の領域に存在することが好ましい。
【００５８】
記録ヘッド３２及び再生ヘッド３４は、以下の条件を満足するように設置することが好ましい。すなわち、スピンドルモータ２８の配置位置Ｐ２から印刷部２２の例えばガイドレール８４の配置位置Ｐ３までの距離をＬａ、記録ヘッド３２及び再生ヘッド３４の配置位置Ｐ４からガイドレール８４の配置位置Ｐ３までの距離をＬｂとしたとき、Ｌｂ≧Ｌａを満足するように記録ヘッド３２及び再生ヘッド３４を設置することが好ましい。
【００５９】
さらに、図５に示すように、この第１の実施の形態では、印刷ヘッド７４は、トレイ移動機構２６と印刷ヘッド移動機構８０とによる駆動制御によって、光ディスク１４の印刷可能面２０とほぼ平行な面９２（ｘ軸方向とｙ軸方向で形成される面：二点鎖線で示す）に沿って二次元的に走査するように動くこととなる。この第１の実施の形態では、図７に示すように、トレイ移動機構２６（図５参照）によって、例えば光ディスク１４が載置されたトレイ１６の一部が挿入口２４から出る方向に移動する際に、ボイスコイルモータ８６によって印刷ヘッド７４がガイドレール８４に沿ってｘ軸方向について多数回の往復が行われることにより、光ディスク１４の印刷可能面２０に対する印刷ヘッド７４の二次元走査が行われることとなる。
【００６０】
印刷ヘッド７４は、図８に示すように、複数のインクジェット方式のノズル９４が例えばマトリックス状に設けられた領域（ノズル領域９６）を有する。特に、この例では、ノズル領域９６の長辺９６ａと、印刷ヘッド７４の往復回数の多いｘ軸方向とが直交するように印刷ヘッド７４が設置されることとなる。この場合、印刷のための画像処理が簡便になり、印刷速度を速めることができる。もちろん、ノズル領域９６の長辺９６ａとｘ軸方向とのなす角を９０°以外の角度にしてもよい。この場合、印刷の解像度が高くなることから、高精細な画像の印刷が可能になるが、印刷のための画像処理が複雑になるため、印刷速度が遅くなるおそれがある。仕様によって使い分けるようにすればよい。
【００６１】
また、ビデオメモリ７０は、例えば印刷ヘッド７４にて印刷される画像データや文字データが格納されている。ビデオメモリ７０のうち、画像データや文字データが格納されていないアドレスには例えば初期値「０」が格納されている。
【００６２】
例えばユーザによる操作入力に従って、光ディスク１４に記録される画像情報あるいは他の画像情報から抽出された１以上のフレームの画像データが、ビデオメモリ７０のうち、ユーザからの操作入力に従ったアドレスに格納される。また、ユーザによる操作入力に従って入力された文字データもビデオメモリ７０のうち、ユーザからの操作入力に従ったアドレスに格納される。
【００６３】
画像データの抽出は、図３に示すように、例えば補助記憶装置４２に記憶された画像情報をモニタ５４の画面上に映し出しながら光ディスク１４に記録している場合においては、ユーザが気に入った画像が映し出された時点で既知の入力装置（マウス等）によってキャプチャ指示を行う、あるいはランダムにキャプチャ指示を行うことで抽出することができる。
【００６４】
あるいは、既に画像情報が記録された光ディスク１４を再生しながら、ユーザが気に入った画像が映し出された時点で既知の入力装置によってキャプチャ指示を行う、あるいはランダムにキャプチャ指示を行うことで抽出することができる。
【００６５】
あるいは、ユーザが、パソコン４４を使ってネットワークに接続されているＷｅｂサーバ上のＷｅｂページ（ホームページを含む）を表示している場合においては、光ディスク１４に記録される画像情報に因んだ画像（参照画像）をダウンロードし、さらに、既知の入力装置によってキャプチャ指示を行うことで抽出することができる。
【００６６】
そして、ビデオメモリ７０に格納された画像データや文字データを、いわゆるサムネイル方式でモニタ５４に表示しながら既知の入力装置によって配置換えする等の操作をすることにより、光ディスク１４に印刷すべき印刷情報を作成することができる。
【００６７】
その後、ユーザが操作部にある例えば取出しボタンを操作することによって、制御部３８から光ディスク１４の取出し指令が出力され、この取出し指令に基づいて、トレイ１６が排出移動している間に、光ディスク１４に対する印刷処理が行われる。
【００６８】
すなわち、トレイ移動機構２６によって、トレイ１６の一部が挿入口２４を介して筐体１２外に突出する方向（ｙ軸方向）にトレイ１６を移動させる間に、印刷ヘッド７４がボイスコイルモータ８６によってガイドレール８４に沿ってｘ軸方向に複数回往復移動する。このとき、図５に示すように、第３メモリ制御部７２は、制御部８２からの制御に従って、この印刷ヘッド７４の移動に合わせて、且つ、ビデオメモリ７０のうち、印刷ヘッド７４の位置に対応したアドレスから順次データ（初期値「０」、画像データ、文字データを含む）を読み出して印刷ヘッド７４に供給する。印刷ヘッド７４に供給されたデータが、初期値であれば、印刷は行わず、画像データや文字データであれば、画像データや文字データに応じたインクを噴射する。これによって、トレイ１６に載置されている光ディスク１４の印刷可能面２０にビデオメモリ７０に格納された画像データや文字データが印刷されることになる。つまり、図９に示すように、光ディスク１４の印刷可能面２０に、ユーザが編集した画像データ１００や文字データ１０２が印刷されることとなる。
【００６９】
このように、第１の実施の形態に係る情報記録再生装置１０Ａにおいては、光ディスク１４の印刷可能面２０に印刷部によって印刷情報を印刷する際に、印刷部２２とチャッキング機構５６とが干渉することがないため、印刷ヘッド７４の移動経路を単純化することができ、印刷部２２の構成（ハードウェア及びコンピュータプログラム等）の簡略化、コストの低廉化を図ることができる。
【００７０】
すなわち、この第１の実施の形態に係る情報記録再生装置１０Ａは、チャッキング機構５６によるスピンドルモータ２８への保持が解除され、且つ、トレイ１６に載置された状態の光ディスク１４の印刷可能面２０に対して印刷情報を印刷するようにしている。
【００７１】
通常、スピンドルモータ２８に保持された光ディスク１４は、チャッキング機構５６にて保持されていても、該スピンドルモータ２８によって回転自在とされるため、少しの振動でも回転し易い状態になっている。従って、印刷部２２による印刷情報の印刷時に光ディスク１４が回転してしまい、インクが周辺に散らばったり、印刷品質が劣化するという不測の事態が発生するおそれがある。
【００７２】
しかし、この第１の実施の形態では、上述したように、光ディスク１４のスピンドルモータ２８への保持が解除され、且つ、トレイ１６に載置された状態となっているため、光ディスク１４は容易に回転しなくなり、印刷部２２による印刷情報の印刷時に光ディスク１４が回転するという不測の事態を回避することができ、周辺を汚すことなく、正確に印刷することができる。
【００７３】
特に、この第１の実施の形態では、図６に示すように、スピンドルモータ２８の配置位置Ｐ２から印刷部２２の例えばガイドレール８４の配置位置Ｐ３までの距離をＬａ、記録ヘッド３２及び再生ヘッド３４の配置位置Ｐ４からガイドレールの配置位置Ｐ３までの距離をＬｂとしたとき、Ｌｂ≧Ｌａを満足するように記録ヘッド３２及び再生ヘッド３４を設置するようにしたので、以下の効果を奏することができる。
【００７４】
すなわち、印刷ヘッド７４からのインクの飛沫が飛んだとしても、記録ヘッド３２や再生ヘッド３４まで到達することがなく、記録ヘッド３２や再生ヘッド３４をインクで汚すことがない。スピンドルモータ２８、記録ヘッド３２及び再生ヘッド３４等が印刷ヘッド７４の動作範囲に干渉するということがないため、印刷ヘッド７４の移動経路を単純化することができると共に、設計の自由度を向上させることができる。
【００７５】
また、この第１の実施の形態では、トレイ移動機構２６によってトレイ１６が挿入口２４から出る方向に移動する間に、トレイ移動機構２６と印刷ヘッド移動機構８０によって印刷ヘッド７４が光ディスク１４の印刷可能面２０に対して相対的に二次元走査されるようにしたので、印刷ヘッド７４を移動駆動する機構を簡略化することができると共に、印刷ヘッド７４を、該印刷ヘッド７４とチャッキング機構５６とが干渉しない位置に容易に設定することができる。これは、従来の情報記録再生装置に対する少ない設計変更で実現できるため、一般ユーザによる光ディスク１４への情報記録の普及をさらに促進させることができる。
【００７６】
次に、第２の実施の形態に係る情報記録再生装置１０Ｂについて図１０〜図１３を参照しながら説明する。なお、第１の実施の形態に係る情報記録再生装置１０Ａと対応するものについては同符号を付してその重複説明を省略する。
【００７７】
この第２の実施の形態に係る情報記録再生装置１０Ｂは、図１０に示すように、上述した第１の実施の形態に係る情報記録再生装置１０Ａとほぼ同様の構成を有するが、印刷ヘッド７４をｘ軸方向に移動させる第１印刷ヘッド移動機構８０Ａと、印刷ヘッド７４をｙ軸方向に移動させる第２印刷ヘッド移動機構８０Ｂと、図１１に示すように、記録再生部１８（チャッキング機構５６、回転駆動部３０、記録ヘッド３２及び再生ヘッド３４）を移動駆動する記録再生系移動機構１１０とを有する点で異なる。
【００７８】
図１０に示すように、第１印刷ヘッド移動機構８０Ａは、上述した印刷ヘッド移動機構８０（図５参照）とほぼ同じ構成とされ、ガイドレール８４Ａとボイスコイルモータ８６Ａとを有する。第２印刷ヘッド移動機構８０Ｂは、ｙ軸方向に延びる第２ガイドレール８４Ｂと第２ボイスコイルモータ８６Ｂとを有し、例えば第１印刷ヘッド移動機構８０Ａのガイドレール８４Ａをｙ軸方向に移動することにより、印刷ヘッド７４をｙ軸方向に移動できるようになっている。
【００７９】
第１印刷ヘッド移動機構８０Ａと第２印刷ヘッド移動機構８０Ｂにはそれぞれエンコーダ８８Ａ及び８８Ｂが取り付けられ、印刷ヘッド７４のｘ軸方向の位置とｙ軸方向の位置が制御部８２において電気的に認識できるようになっている。
【００８０】
図１１に示すように、トレイ１６に載置された光ディスク１４を取り出す終了段階あるいは図示しないが、例えば筐体１２内に光ディスク１４が収容されていない初期段階においては、チャッキング機構５６及び回転駆動部３０の位置は、それぞれ印刷ヘッド７４の動作範囲と干渉しない第１初期位置Ｐ１１及び第２初期位置Ｐ１２に設定されている。また、記録ヘッド３２及び再生ヘッド３４の位置は、前記終了段階あるいは初期段階においては、印刷ヘッド７４の動作範囲と干渉しない第３初期位置Ｐ１３に設定されている。
【００８１】
さらに、制御部３８は、トレイ１６に光ディスク１４が載置された状態で、トレイ１６がトレイ移動機構２６によって移動して筐体１２内に収容された時点で、光ディスク１４の挿入指令を出力する。また、トレイ１６に光ディスク１４が載置され、且つ、トレイ１６が筐体１２に収容された状態で、例えば印刷を示す操作入力がなされた時点で、制御部３８は、印刷指令を出力する。
【００８２】
そして、図１２に示すように、記録再生系移動機構１１０は、制御部３８からの光ディスク１４の挿入指令に基づいて、チャッキング機構５６及び回転駆動部３０を、それぞれ第１初期位置Ｐ１１及び第２初期位置Ｐ１２（図１１参照）からトレイ１６に載置された光ディスク１４をチャッキング機構５６にてスピンドルモータ２８に保持できる第１駆動位置Ｐ２１及び第２駆動位置Ｐ２２にそれぞれ移動し、さらに、記録ヘッド３２及び再生ヘッド３４を、第３初期位置Ｐ１３（図１１参照）からスピンドルモータ２８に保持された光ディスク１４に対して情報の記録及び／又は再生が行える第３駆動位置Ｐ２３に移動する。
【００８３】
また、記録再生系移動機構１１０は、制御部３８からの印刷指令に基づいて、図１１に示すように、チャッキング機構５６及び回転駆動部３０を第１駆動位置Ｐ２１及び第２駆動位置Ｐ２２（図１２参照）からそれぞれ第１初期位置Ｐ１１及び第２初期位置Ｐ１２に移動復帰し、記録ヘッド３２及び再生ヘッド３４を第３駆動位置Ｐ２３（図１２参照）から第３初期位置Ｐ１３に移動復帰する。
【００８４】
その後、図１０に示すように、印刷部２２が駆動し、第１印刷ヘッド移動機構８０Ａと第２印刷ヘッド移動機構８０Ｂによって、印刷ヘッド７４が光ディスク１４の印刷可能面２０に対して相対的に二次元走査されることとなる。
【００８５】
印刷ヘッド７４の走査手順は、例えば図１３に示すように、まず、ｘ軸方向の正方向（図１３上、右方向で示す方向）に移動させ、正方向終端に到達した段階で、ｙ軸方向に所定のピッチｔｐだけ正方向（図１３上、下方向で示す方向）に移動させ、その後、ｘ軸方向の負方向（図１３上、左方向で示す方向）に移動させ、その後、ｙ軸方向に所定のピッチｔｐだけ正方向（図１３上、下方向で示す方向）に移動させるという処理を繰り返す。
【００８６】
図１０に示すように、この印刷ヘッド７４の二次元走査の際に、第３メモリ制御部７２は、制御部８２からの制御に従って、この印刷ヘッド７４の移動に合わせて、且つ、ビデオメモリ７０のうち、印刷ヘッド７４の位置に対応したアドレスから順次データ（初期値「０」、画像データ、文字データを含む）を読み出して印刷ヘッド７４に供給する。印刷ヘッド７４に供給されたデータが、初期値であれば、印刷は行わず、画像データや文字データであれば、画像データや文字データに応じたインクを噴射する。これによって、トレイ１６に載置されている光ディスク１４の印刷可能面２０にビデオメモリ７０に格納された画像データや文字データが印刷されることになる。この場合も、図９に示すように、光ディスク１４の印刷可能面２０に、ユーザが編集した画像データ１００や文字データ１０２が印刷されることとなる。
【００８７】
このように、この第２の実施の形態に係る情報記録再生装置１０Ｂにおいては、上述した第１の実施の形態に係る情報記録再生装置１０Ａと同様に、光ディスク１４の印刷可能面２０に印刷部によって印刷情報を印刷する際に、印刷部２２とチャッキング機構５６とが干渉することがないため、印刷ヘッド７４の移動経路を単純化することができ、印刷部２２の構成（ハードウェア及びコンピュータプログラム等）の簡略化、コストの低廉化を図ることができる。
【００８８】
しかも、トレイ１６を筐体１２に収容した状態で光ディスク１４に対して印刷情報を印刷することができるため、インクが筐体１２外に飛び出すことがなく、また、トレイ１６の排出段階では、既に印刷が終わっているため、トレイ１６の排出段階においてトレイ１６に何らかの振動が伝わっても、印刷品質には影響はない。
【００８９】
なお、本発明に係る情報記録再生装置、情報印刷方法及び光情報記録媒体は、上述の実施の形態に限らず、本発明の要旨を逸脱することなく、種々の構成を採り得ることはもちろんである。
【図面の簡単な説明】
【００９０】
【図１】第１の実施の形態に係る情報記録再生装置の一部を示す斜視図である。
【図２】第１の実施の形態に係る情報記録再生装置を示す構成図である。
【図３】記録ヘッドに対するデータの流れ、再生ヘッドからのデータの流れの一例を示す構成図である。
【図４】第１の実施の形態に係る情報記録再生装置において、光ディスクをチャッキング機構にてスピンドルモータに保持した状態を示す構成図である。
【図５】第１の実施の形態に係る情報記録再生装置の印刷部を示す構成図である。
【図６】印刷部、スピンドルモータ、記録ヘッド及び再生ヘッドの位置関係を示す説明図である。
【図７】トレイ移動機構と印刷ヘッド移動機構による印刷ヘッドの二次元走査を示す説明図である。
【図８】印刷ヘッドの好ましい設置例を示す説明図である。
【図９】光ディスクの印刷可能面にユーザが編集した画像データや文字データが印刷された状態を示す斜視図である。
【図１０】第２の実施の形態に係る情報記録再生装置の印刷部を示す構成図である。
【図１１】第２の実施の形態に係る情報記録再生装置において、記録再生部を初期位置に設定した状態を示す構成図である。
【図１２】第２の実施の形態に係る情報記録再生装置において、記録再生部を駆動位置に設定した状態を示す構成図である。
【図１３】第２の実施の形態に係る情報記録再生装置において、印刷ヘッドの走査手順の一例を示す説明図である。
【符号の説明】
【００９１】
１０Ａ、１０Ｂ…情報記録再生装置        １２…筐体
１４…光ディスク                        １６…トレイ
１８…記録再生部                        ２０…印刷可能面
２２…印刷部                            ２４…挿入口
２６…トレイ移動機構                    ２８…スピンドルモータ
３０…回転駆動部                        ３２…記録ヘッド
３４…再生ヘッド                        ３８、８２…制御部
５６…チャッキング機構                  ７４…印刷ヘッド
８０…印刷ヘッド移動機構                ８０Ａ…第１印刷ヘッド移動機構
８０Ｂ…第２印刷ヘッド移動機構          ９２…面
１１０…記録再生系移動機構
【図１】
2007026609.tif 000003
【図２】
2007026609.tif 000004
【図３】
2007026609.tif 000005
【図４】
2007026609.tif 000006
【図５】
2007026609.tif 000007
【図６】
2007026609.tif 000008
【図７】
2007026609.tif 000009
【図８】
2007026609.tif 000010
【図９】
2007026609.tif 000011
【図１０】
2007026609.tif 000012
【図１１】
2007026609.tif 000013
【図１２】
2007026609.tif 000014
【図１３】
2007026609.tif 000015